(57)【要約】【課題】  不正開封の防止及び吊下げ機能をもち、開封した後保管箱として利用できる包装箱を提供する。【解決手段】  一枚のブランクシートの打ち抜きで形成され六面体の被包装物収納部と吊下げパネルで構成された紙箱であって、上側面の一部を破断することで開封でき、吊下げパネルを折り曲げて吊下げ孔部に上側面残片を差し込む事で封緘機能を成し、吊下げパネルを封緘材料として利用する。または、上側面の糊付け部の廻りを破断することで開封でき、差し込みベロを有した内フラップを上側面残片の切り込みに差し込むことで封緘機能を構成し、再封時は不必要な突起やへこみがなく開口部がすき間のない状態で封緘できることでゴミや埃を防げることを特徴としている。【選択図】  図１
2007261625.tif 000002
【特許請求の範囲】
【請求項１】
連接された４枚の側面パネルと、
前記側面パネルのうちの１つに連接された上面パネルと、
前記上面パネルが連接された側面パネルに対向する側面パネルに連接された吊り下げパネルとを有し、
前記上面パネルの一部を切断することで開封可能な包装箱であって、
開封により形成された開口を、前記上面パネルおよび前記吊り下げパネルによって再封可能としたことを特徴とする包装箱。
【請求項２】
前記吊り下げパネルは、吊り下げ孔を有し、
前記上面パネルは、開封時に該上面パネルに差し込み片を形成して切断可能なように加工された切断線を有し、
開封後、前記差し込み片を前記吊り下げ孔に差し込むことで再封可能としたことを特徴とする請求項１に記載の包装箱。
【請求項３】
罫線で折り曲げて組み立てることで、請求項１または２に記載の包装箱を形成可能なように製造されたシート。
【請求項４】
連接された４枚の側面パネルと、
前記側面パネルのうちの対向する一対の側面パネルの上端部にそれぞれ連接された一対の内フラップと、
前記内フラップが連接していない側面パネルのうちの１つの側面パネルの上端部に連接され、前記内フラップを覆うように折り込まれた上面パネルを有し、
前記内フラップと前記上面パネルとが接着されて封緘され、前記上面パネルの一部を切断することで開封可能な包装箱において、
前記内フラップに差し込み片を有し、
前記包装箱の開封後に、前記上面パネルを覆うように前記内フラップを折り込み、前記上面パネルに設けられたスリットに前記差し込み片を差し込むことで、上面パネルをロック可能とすることを特徴とする包装箱。
【請求項５】
前記上面パネルと連接している側面パネルに対向する側面パネルの上端部に連接された第二の上面パネルを有し、
前記差し込み片は、前記第二の上面パネルを覆うように前記上面パネルを折り込み、さらに前記上面パネルを覆うように前記内フラップを折り込み、前記上面パネルに設けられたスリットに該差し込み片を差し込むことで、上面パネルをロック可能とすることを特徴とする請求項４に記載の包装箱。
【請求項６】
前記第二の上面パネルは、吊り下げ孔を有する包装箱吊り下げ用のパネルであることを特徴とする請求項５に記載の包装箱。
【請求項７】
罫線で折り曲げて組み立てることで、請求項４ないし６に記載の包装箱を形成可能なように製造されたシート。
【発明の詳細な説明】
【技術分野】
【０００１】
本発明は、商品を包装するための包装箱に関する。
【背景技術】
【０００２】
図１１は従来の包装箱である吊り下げ包装箱の一例を斜視図で示した。この吊下げ包装箱は包装され包装箱の仲に収納されている商品の抜き取りなどの悪戯を目的とした開封を困難にするために開封面は糊付けされている。包装箱は六面体の被包装物収納部１と吊下げパネル２で構成され、一枚のブランクシートの打ち抜きで形成されている。
【０００３】
前記被包装物収納部１は上側面３と内フラップ４，５が糊付け６で封緘され側面７，８，９に開封用ミシン目１３が形成されている。また、前記吊下げパネル２は側面１０の延長上にあり、吊下げ孔部１１の荷重による破損防止及び印刷表示面確保の為、側面１０の先端部に横折線を介して連接され側面１０上に糊付けされる側面１２とから成っている。
【０００４】
このような一枚のブランクシートから包装用包装箱を組み立てる技術は特許文献１にも開示されている。
【特許文献１】特開２００３−１２８０５０号公報
【発明の開示】
【発明が解決しようとする課題】
【０００５】
しかし上記のような従来例では、商品の抜き取りなどの悪戯を防ぐために包装箱の側面や包装箱の開封口なる上側面は、糊付けやテープにより貼着されているため、包装箱を開封する時はミシン目等により包装箱の一部を破壊しなければならない。したがって、開封後は、包装箱の一部が破壊されているため、再び被包装物である商品を包装箱に入れて開封した部分を閉じて保管しておくことはできなかった。
【０００６】
また、被包装物が使い切り商品である場合は、一度開封した被包装物を再び保管することはないので、一度開封した時点で包装箱はその役目を終えることになる。しかし、開封後も保管が必要な被包装物の場合は、上記従来例のような形態であると、一度開封した被包装物を開封した部分を閉じて保管することができなくなってしまう。
【０００７】
本発明は、悪戯を目的とした開封を困難にすると共に、一旦、開封され取り出された被包装物を、再び包装箱に収納し、開封した部分を閉じた状態で保管することができる機能を有する包装箱を提供することを目的とする。また、保管時に不必要な吊下げパネル部を有効に活用して邪魔にならないようにした包装箱を提供することを目的とする。
【課題を解決するための手段】
【０００８】
このような課題を達成するため、本発明の包装箱は次のような構成を備える。すなわち、
連接された４枚の側面パネルと、側面パネルのうちの１つに連接された上面パネルと、
上面パネルが連接された側面パネルに対向する側面パネルに連接された吊り下げパネルとを有し、上面パネルの一部を切断することで開封可能な包装箱であって、開封により形成された開口を、上面パネルおよび吊り下げパネルによって塞ぎ、再封可能としたことを特徴とする。
【０００９】
このような課題を達成するため、本発明の包装箱は次のような構成を備える。すなわち、
連接された４枚の側面パネルと、側面パネルのうちの対向する一対の側面パネルの上端部にそれぞれ連接された一対の内フラップと、内フラップが連接していない側面パネルのうちの１つの側面パネルの上端部に連接され内フラップを覆うように折り込まれた上面パネルを有し、内フラップと上面パネルとが接着されて封緘されている包装箱において、内フラップに差し込み片を有し、包装箱の開封後に、上面パネルを覆うように内フラップを折り込み、上面パネルに設けられたスリットに該差し込み片を差し込むことで、上面パネルをロック可能とすることを特徴とする。
【発明の効果】
【００１０】
本発明に係る包装箱は、一度開封すると開封した形跡を確認することができるため、悪戯を目的にした開封を防止することができる。
【００１１】
さらに、吊下げパネルを封緘材料に利用して封緘できるの実施例と吊下げパネルを内側に折り曲げて差し込みベロを有した内フラップで封緘するの実施例で、共に再封緘できるというすぐれた効果を有する。また、本発明に係る吊下げ包装箱は、開封方法、封緘方法を包装箱上でイラスト表現することで、再封緘に不必要な吊下げパネルを隠し、より再利用を促す効果を有する。また、再封緘時は開口部がすき間のない状態で封緘できるため、ゴミや埃の進入を防ぐことができ、複数個に分けられた被包装物の部分取り出しで残った被包装物の保管、または、取り出された被包装物の再度の保管に有効である。
【発明を実施するための最良の形態】
【００１２】
以下に本発明の実施の形態について図面を参照しながら説明する。
【００１３】
（第一の実施例）
図１は、本発明に係る第１の実施例の吊下げ包装箱のブランクシ−トの展開図である。図２は同包装箱の封緘された状態を示す斜視図、図３は同包装箱の開封する状態を示す斜視図である。図４は同包装箱の開封された上側面１７を再び閉じるときの様子を示す斜視図、図５は同包装箱の上側面１７が再び閉じられた状態を示す斜視図である。図１で示す底部Ａは本発明に係らないため省略するものとする。
【００１４】
図１に示すブランクシ−トは、打ち抜きで形成されたものである。このブランクシートを罫線で折り曲げ、接着部で接着することにより本発明の包装箱が形成される。
【００１５】
側面１６、１９、２１、２７が一体に連接し、側面１６の内側に糊付けされる糊付け片２８が、側面２７の側方に連接して形成されている。側面１６、２１の上端部に内フラップ１５、２０が連接し、側面１９の上端部に上側面１７、側面２７の上端部に吊下げパネル２２、２３が連接して形成されている。横罫線３０，３１，３４は被収納物を収納した後にこの包装箱を封緘するための折り曲げ線である。
【００１６】
封緘は、内フラップ１５，２０を横罫線３０，３４を介して箱の内側に折り曲げ、さらに内フラップを覆うように上側面１７を横罫線３１で折り込む。この内フラップ１５、２０は、破断用ミシン目３６、３７と糊付け部３８を有している。内フラップ１５，２０の糊付け部３８と上側面の糊付け部４１とを接着することにより、この包装箱は封緘される。
【００１７】
吊下げパネル２３の裏面は糊付け部３５を有し横折罫線２４を介して吊下げパネル２２と接着され（以降吊下げパネル２３で統一）吊下げ孔２５、２６は一つの吊下げ孔に成り吊下げパネル２３と側面２７は横折罫線２９を介すことで折り曲げられる様にしている。上側面１７は側面１９に連接され、上側面１７には、開封する際に上側面１７の一部が切り取れるように加工された開封用ミシン目３２が設けられていて、この開封用ミシン目３２に沿って上側面１７を切り取ると、差し込みベロ１８が形成される。差し込みベロ１８には、罫線３９とスリット３３が設けられている。
【００１８】
図２は、被包装物である商品を収納し封緘した状態を表している。上側面１７の裏側の接着部４１に内フラップ１５，２０の糊付け部３８を介して接着されるため悪戯を目的にした開封を困難にさせ、一度開封すると開封した形跡を確認することができる（記載なき符号は図１参照）。
【００１９】
図３は、包装箱開封する状態を表している。開封するときは、上側面１７を破断用ミシン目にそって切断する。上側面１７の端面を持ち上げることで、開封用ミシン目３２に沿って差し込みベロ１８を残し開封できる。また、内フラップ１５，２０の糊付け部３８で接着された封緘部は破断用ミシン目３６、３７で分離され、上側面残片１７ａが再封用として残る。開封することにより開口が形成され、この開口から被包装物を取り出すことが可能となる。ここで、開封時、破断用ミシン目にそって上側面１７を切断するとしたが、ミシン目に限らず、上側面残片１７ａを残して切断可能なように加工されている切取線であればよい（記載なき符号は図１参照）。
【００２０】
図４は包装箱の開封時に形成された開口を上側面１７および吊下げパネル２３を用いて塞ぎ、上側面１７を再び閉じて包装箱を再封するときの様子を表している。吊下げパネル２３を、開封することにより形成された開口部側に折り曲げて、上側面残片１７ａの差し込みベロ１８を吊下げ孔２５と２６の間に差し込んで上側面１７を再び閉じることができる。差し込みベロ１８には、罫線３９とスリット３３が設けられていて、罫線３９は、吊り下げパネルを覆うように上側面を開口側に閉じたときに、吊下げ孔底辺４０と重なる位置に設定し、差し込みベロ１８の幅は吊下げ孔幅より短く設定している。なお、吊下げ孔２６の底辺４０は吊下げ孔２５の底辺４０より下げてあり差し込みベロ１８が差し込み易い状態にある。吊り下げ孔と差し込みベロにより、再封部材として用いられた上側面１７および吊下げパネル２３をロックして再封部材が開かないようにしているので、被包装物がとびでてこないようにすることができる（記載なき符号は図１参照）。
【００２１】
図５は、包装箱の開封された上側面１７を再び閉じた状態を表している。
【００２２】
開封時に形成された被包装物取り出すための開口部を、開口部に連接された２つの内フラップ、つり下げパネル、上側面残片の四枚のパネルによって再封するため、ゴミや埃が入らないように開口部を塞ぐことができる。また、吊下げパネル２３が再封材料として、利用されるため、不必要な突起やへこみがなく、保管しやすいスッキリとした再封状態になる。
【００２３】
（第二の実施例）
図６は、本発明に係る第２の実施例の吊下げ包装箱のブランクシ−トの展開図である。図７は同包装箱の封緘された状態を示す斜視図、図８は同包装箱を開封する状態を示す斜視図、図９は同包装箱の開封された上側面を再び閉じて再封する状態を示す斜視図、図１０は同包装箱の再封された状態を示す斜視図である。図６で示す底部Ｂは本発明に係らないため省略するものとする。
【００２４】
図６に示すブランクシ−トは、打ち抜きで形成されたものである。このブランクシートを罫線で折り曲げ、接着部を接着することにより本発明の包装箱が形成される。側面５１、５４、５６、６２が一体に連接し、側面５１の内側に糊付けされる糊付け片６３が、側面６２の側方に連接して形成されている。側面５１、５６の上端部に差し込みベロ付き内フラップ５０、５５が連接し、側面５４の上端部に上側面５２、側面６２の上端部に吊下げパネル５７、５８が連接して形成されている。
【００２５】
そして、吊下げパネル５８の裏面は糊付け部７２を有し横折罫線５９を介して吊下げパネル５７と接着され（以降吊下げパネル５８で統一）吊下げ孔６０、６１は一つの吊下げ孔に成り吊下げパネル５８と側面６２は横折罫線６４を介すことで折り曲げできる様にしている。上側面５２は開封用ミシン目６７、７１と差し込み用スリット５３が設けられている。また、内フラップ５０、５５には、折り曲げ線６９、７０を介して差し込みベロ５０ａ、５５ａが形成されている。なお、差し込み用スリット５３は再封時に差し込みベロ５０ａ、５５ａが差し込める位置にありベロ幅より若干広く設定している。また、横罫線６５，６６，６８は被包装物を収納した後の封緘用折り曲げ線である。
【００２６】
図７は、被包装物を収納し封緘した状態を表している。上側面５２の裏側の接着部７４が内フラップ５０，５５の糊付け部７３と接着されるため、悪戯を目的にした開封を困難にさせ、一度開封すると開封した形跡を確認することができる（記載なき符号は図６参照）。
【００２７】
図８は、開封する状態を表している。開封するときは、上側面５２を破断用ミシン目にそって切断する。上側面５２は、開封時に切り取れるように加工されており、上側面５２の開封用ミシン目７１を指で押してカットし上側面５２の端面を持ち上げることで開封用ミシン目６６，６７に沿って開封できる。また、上側面５２と接着されていた内フラップ５０，５５は、開封時に、開封用ミシン目６６，６７で糊付け部７３が分離される。内フラップ５０，５５には、それぞれ再封用の差し込みベロが設けられている。このようにして開封することにより開口が形成され、この開口から被包装物を取り出すことが可能となる。ここで、開封時、破断用ミシン目にそって上側面５２を切断するとしたが、ミシン目に限らず、上側面残片５２ａを残して切断可能なように加工されている切取線であればよい（記載なき符号は図６参照）。
【００２８】
図９は、上側面５２の一部を切り取って開封して形成された商品取り出し用の開口を、上側面５２および内フラップ、吊り下げパネルを用いて再び閉じて再封するときの様子を表している。吊下げパネル５８を、上側面５２を開封することにより形成された開口部側に折り曲げて、次に、吊り下げパネル５８を覆うように上側面５２を開口側に折り込んで開口を塞ぐ。最後に上側面５２を覆うように内フラップ５０，５５を開口側に折り込み、差し込みベロ５０ａ、５５ａを差し込み用スリット５３にそれぞれ差し込んで上側面５２をロックし再封する。図１０は、再封された状態を表している（記載なき符号は図６参照）。
【００２９】
開封時に上側面５２の一部を切り取って形成された被包装物取り出すための開口部を、開口部に連接された２つの内フラップ、吊り下げパネル、上側面残片の四枚のパネルによって再封するため、ゴミや埃が入らないように開口部を塞ぐことができる。また、二つの内フラップそれぞれに設けられた差し込みベロをスリットに差し込み、２カ所で上側面をロックするので、はずれにくく差し込みベロがはずれにくくなる。また、吊下げパネルが再封材料として、利用されるため、不必要な突起やへこみがなく、保管しやすい再封状態になる。
【００３０】
（第三の実施例）
図１２は、本発明に係る第３の実施例の吊下げ包装箱のブランクシ−トの展開図である。図１３は包装箱の封緘された状態を示す斜視図である。図１２で示す底部Ｃは本発明に係らないため省略するものとする。
【００３１】
第３の実施例では２つの商品を収納可能な包装箱について説明する。
【００３２】
図１２に示すブランクシ−トは、打ち抜きで形成されたもので、糊付け片６３と仕切り面９２、９３、と、側面９４、９５、９６、９７とが一体に連接している。側面９５の内側には糊付け片６３が糊付けされる糊付け部９９が、仕切り面９３と側面９７には仕切り面９３と側面９７とを接着するための盛り付け部９８、１００がある。
【００３３】
図１４は、本実施例の包装箱を組み立てたときの、糊付け片６３と仕切り面９２、９３と側面９４、９５、９６、９７の位置関係を示した図である。
【００３４】
仕切り面９２の糊付け部９８と側面９７の糊付け部１００が接着され、さらに、糊付け片６３と側面９５の糊付け部９９が接着される。二つの空間Ｄ、Ｅが形成され、Ｄ、Ｅそれぞれに商品を収納可能になる。
【００３５】
側面９４、９６の上端部にそれぞれ上側面５２ａ、５２ｂが連接され、仕切り面９３の上端部に吊下げパネル５８、５７が連接して形成されている。
【００３６】
吊下げパネル５８の裏面は糊付け部７２を有し横折罫線５９を介して吊下げパネル５７と接着され（以降吊下げパネル５８で統一）吊下げ孔６０、６１は一つの吊下げ孔に成り吊下げパネル５８と仕切り面９１は横折罫線１０２を介すことで折り曲げできる様にしている。
【００３７】
側面９５、９７の上端部にそれぞれ差し込みベロ付き内フラップ５０、５５が連接している。内フラップ５０、５５の中間部には、内フラップを二つに分離させるためのミシン目９０か設けられている。また、内フラップ５０、５５の中間部には、スリット９１も設けられており、このスリットに吊り下げパネル５８が入りこむように内フラップ５０、５５を横折罫線６５で折り曲げて組み立てる。また、ミシン目９０で二つに分離した内フラップは、第２の実施例の内フラップ５０、５５と同じ構成を持ち、同じ機能、役割を果たす。
【００３８】
上側面５２ａ、５２ｂはそれぞれ第２の実施例の上側面５２と同様に、開封用ミシン目６７、７１と差し込み用スリット５３が設けられている。
【００３９】
封緘時は内フラップの糊付け部７３と上側面５２ａ、５２ｂの接着部７４が接着されている。開封時は第２の実施例と同様に上側面５２ａ、または、５２ｂをミシン目７１、６７を切り取って上側面を持ち上げ、次に、内フラップのミシン目９０を切り内フラップを分離させて開封し、仲に収納された商品を取り出すことができる。空間ＤとＥで開封口が異なっているので、必要な側だけ開封することができる。
【００４０】
上側面の差し込み用スリット５３は再封時に差し込みベロ５０ａ、５５ａが差し込める位置にあり、ベロ幅より若干広く設定している。また、横罫線６５，６６，６８は被収納物を収納した後の封緘用折り曲げ線である。
【００４１】
図１３は、被包装物を収納し封緘した状態を表している。上側面５２ａ、５２ｂの裏側の接着部７４に内フラップ５０，５５の糊付け部７３を介して接着される。そのため、開封するときは、ミシン目７１、６７に沿って上側面５２ａまたは５２ｂを切断する必要がある。よって、悪戯を目的にした開封を困難にさせ、一度開封すると開封した形跡を確認することができる。
【００４２】
上側面５２ａまたは５２ｂを開封して形成された開口を閉じて、再封する方法は実施例と同じため省略する。
【図面の簡単な説明】
【００４３】
【図１】本発明の第１の実施例吊下げ包装箱のブランクシ−ト展開図。
【図２】第１の実施例吊下げ包装箱の封緘された状態を示す斜視図。
【図３】第１の実施例吊下げ包装箱の開封する状態を示す斜視図。
【図４】第１の実施例吊下げ包装箱の再封緘する状態を示す斜視図。
【図５】第１の実施例吊下げ包装箱の再封緘された状態を示す斜視図。
【図６】本発明の第２の実施例吊下げ包装箱のブランクシ−ト展開図。
【図７】第２の実施例吊下げ包装箱の封緘された状態を示す斜視図。
【図８】第２の実施例吊下げ包装箱の開封する状態を示す斜視図。
【図９】第２の実施例吊下げ包装箱の再封緘する状態を示す斜視図。
【図１０】第２の実施例吊下げ包装箱の再封緘された状態を示す斜視図。
【図１１】従来の吊下げ包装箱の全体斜視図。
【図１２】本発明の第３の実施例吊下げ包装箱のブランクシ−ト展開図。
【図１３】第３の実施例吊下げ包装箱の封緘された状態を示す斜視図。
【図１４】第３の実施例の包装箱を組み立てたときの、糊付け片仕切り面と側面の位置関係を示した図である。
【符号の説明】
【００４４】
１  被包装物収納部
２  吊り下げパネル
３  上側面
４、５  フラップ
６  糊付け
７、８、９、１０  側面
１１  吊り下げ孔部
１２  糊付けされる側面
１３  開封用ミシン目
１５、２０  内フラップ
１６、１９、２１、２７  側面
１７  上側面
１８  差し込みベロ
２２、２３  吊り下げパネル
２４  横折罫線
２５、２６  吊下げ孔
２８  糊付け片
２９、３０、３１  横折罫線
３２  開封用ミシン目
３３  スリット
３４  横折罫線
３５、３８  糊付け部
３６、３７  破断用ミシン目
３９  罫線
４０  吊り下げ孔底辺
４１  接着部
５０、５５  内フラップ
５０ａ、５５ａ  差し込みベロ
５１、５４、５６、６２  側面
５２  上側面
５３  差し込み用スリット
５７、５８  吊り下げパネル
５９、６４、６５、６８  横折罫線
６０、６１  吊下げ孔
６３  糊付け片
６７、７１  開封用ミシン目
６９、７０  折り曲げ線
７２、７３  糊付け部
７４  接着部
【図１】
2007261625.tif 000003
【図２】
2007261625.tif 000004
【図３】
2007261625.tif 000005
【図４】
2007261625.tif 000006
【図５】
2007261625.tif 000007
【図６】
2007261625.tif 000008
【図７】
2007261625.tif 000009
【図８】
2007261625.tif 000010
【図９】
2007261625.tif 000011
【図１０】
2007261625.tif 000012
【図１１】
2007261625.tif 000013
【図１２】
2007261625.tif 000014
【図１３】
2007261625.tif 000015
【図１４】
2007261625.tif 000016